(57)【要約】【課題】  被検眼の経過観察を良好に行うことができる眼科情報処理装置、および眼科情報処理装置プログラムを提供すること。【解決手段】  眼科情報処理装置１は、制御部７０によって、被検眼のＯＣＴデータの処理結果である眼底の層厚情報が取得される。また、取得された各々のＯＣＴデータに基づく層厚情報は、制御部７０によって、各々のＯＣＴデータにおける取得条件の違いを考慮して整合される。そして、制御部７０は、各々の層厚情報の整合結果を、モニタ７５に表示させる。【選択図】      図３
2017104535.tif 000002
【特許請求の範囲】
【請求項１】
異なる日に得られた複数のＯＣＴデータに基づいて被検眼の経過観察を行うための眼科情報処理装置であって、
前記被検眼のＯＣＴデータの処理結果である眼底の層厚情報を取得する層厚情報取得手段と、
各々の前記ＯＣＴデータに基づく層厚情報を、各々の前記ＯＣＴデータにおける取得条件の違いを考慮して整合させる整合手段と、
前記整合手段による層厚情報の整合結果をモニタに表示させる表示制御手段と、を有する眼科情報処理装置。
【請求項２】
前記整合手段は、ＳＤ−ＯＣＴによって取得された前記ＯＣＴデータである第１ＯＣＴデータに基づく第１層厚情報と、ＳＳ−ＯＣＴによって取得された前記ＯＣＴデータである第２ＯＣＴデータに基づく第２層厚情報とを、前記ＳＤ−ＯＣＴと前記ＳＳ−ＯＣＴとの間における深さ方向に関するＯＣＴ信号の感度の違いを考慮して、整合させる請求項１記載の眼科情報処理装置。
【請求項３】
前記整合手段は、第１層厚情報および第２層厚情報との少なくとも何れかに対し、閾値として予め定められた深度よりも深層側の層厚を補正する請求項２記載の眼科情報処理装置。
【請求項４】
前記整合手段は、前記第１層厚情報と前記第２層厚情報との間における層厚の誤差を、眼底を構成する層ごとに、異なる補正量で補正する請求項２記載の眼科情報処理装置。
【請求項５】
眼底を構成する層のうち任意の層に対する前記補正量は、
前記ＳＤ−ＯＣＴによる厚みの測定値と前記ＳＳ−ＯＣＴによる厚みの測定値との比または差であって、既知の厚みを持つ試料を、前記ＯＣＴデータ上において前記任意の層と対応する深度に配置して測定したときの前記試料の厚みの測定値の比または差に基づく値である請求項４記載の眼科情報処理装置。
【請求項６】
前記整合手段は、前記第１層厚情報と前記第２層厚情報との間における層厚の誤差を、眼底の深度毎に、異なる補正量で補正する請求項２記載の眼科情報処理装置。
【請求項７】
ＯＣＴデータ上における任意の深度に対する前記補正量は、
前記ＳＤ−ＯＣＴによる厚みの測定値と前記ＳＳ−ＯＣＴによる厚みの測定値との比または差であって、既知の厚みを持つ試料を、ＯＣＴデータ上における前記任意の深度に配置して測定したときの前記試料の厚みの測定値の比または差に基づく値である請求項６記載の眼科情報処理装置。
【請求項８】
前記層厚情報取得手段は、前記眼底の各層の層厚情報を取得し、
前記整合手段は、少なくとも網膜内層に関する層厚情報と網膜外層に関する層厚情報とを個別に整合させる請求項１から７のいずれかに記載の眼科情報処理装置。
【請求項９】
前記整合手段は、眼底を構成する層ごとに、或いは、眼底の深度毎に、層厚情報を整合させる請求項１から８のいずれかに記載の眼科情報処理装置。
【請求項１０】
前記整合手段は、深度毎に、層厚情報を整合させる請求項１から８のいずれかに記載の眼科情報処理装置。
【請求項１１】
正常眼データベースから、正常眼の層厚情報である正常眼層厚情報を取得する正常眼層厚情報取得手段を有し、
前記整合手段は、前記正常眼層厚情報との整合が得られるように前記被検眼の層厚情報を深さ方向に関して補正する請求項１から１０の何れかに記載の眼科情報処理装置。
【請求項１２】
前記整合手段による層厚情報の整合結果と前記正常眼層厚情報との比較処理を行い、比較結果を出力する比較処理手段を更に有する請求項１１記載の眼科情報処理装置。
【請求項１３】
異なる日に得られた複数のＯＣＴデータに基づいて被検眼の経過観察を行うための眼科情報処理プログラムであって、
眼科情報処理装置のプロセッサで実行されることにより、
前記被検眼のＯＣＴデータの処理結果である眼底の層厚情報を取得する層厚情報取得ステップと、
各々の前記ＯＣＴデータに基づく層厚情報を、各々の前記ＯＣＴデータにおける取得条件の違いを考慮して整合させる整合ステップと、
前記整合ステップによる層厚情報の整合結果をモニタに表示させる表示制御ステップと、を前記眼科情報処理装置に実行させる眼科情報処理プログラム。
【発明の詳細な説明】
【技術分野】
【０００１】
本開示は、異なる日時で得られた複数のＯＣＴデータに基づいて被検眼の経過観察を行うための眼科情報処理装置および眼科情報処理プログラムに関する。
【背景技術】
【０００２】
眼科用光干渉断層計（OCT：optical coherence tomography）等の眼科装置によって、
異なる日時に被検眼のＯＣＴデータを取得し、経過観察を行う場合がある。例えば、眼底のＯＣＴデータが複数回にわたって取得され、ＯＣＴデータの変化から病変部の経過が観察される。
【先行技術文献】
【特許文献】
【０００３】
【特許文献１】特開第２０１２−２３２０３４号公報
【発明の概要】
【発明が解決しようとする課題】
【０００４】
眼科分野では、例えば、緑内障の場合等、数年間にわたって経過観察を行う必要があり、長い場合には、数十年にわたる場合もありうる。そして、複数年が経過していると、ＯＣＴデータの取得に使用される装置が、異なる仕様の装置へ変更されている場合がありうる。また、同一の仕様の装置を使用していても、装置の仕様以外の取得条件が、データを取得した時期によって異なっている場合がありうる。このような互いに異なる取得条件にて取得された複数のＯＣＴデータが利用される場合には、経過観察を良好に行うことが難しい場合が考えられる。
【０００５】
本開示は、被検眼の経過観察を良好に行うことができる眼科情報処理装置、および眼科情報処理装置プログラムを提供することを技術課題とする。
【課題を解決するための手段】
【０００６】
本開示の第１態様に係る眼科情報処理装置は、異なる日時で得られた複数のＯＣＴデータに基づいて被検眼の経過観察を行うための眼科情報処理装置であって、前記被検眼のＯＣＴデータの処理結果である眼底の層厚情報を取得する層厚情報取得手段と、各々の前記ＯＣＴデータに基づく層厚情報を、各々の前記ＯＣＴデータにおける取得条件の違いを考慮して整合させる整合手段と、前記整合手段による層厚情報の整合結果をモニタに表示させる表示制御手段と、を有する。
【０００７】
本開示の第２態様に係る眼科情報処理プログラムは、異なる日時で得られた複数のＯＣＴデータに基づいて被検眼の経過観察を行うための眼科情報処理プログラムであって、眼科情報処理装置のプロセッサで実行されることにより、前記被検眼のＯＣＴデータの処理結果である眼底の層厚情報を取得する層厚情報取得ステップと、各々の前記ＯＣＴデータに基づく層厚情報を、各々の前記ＯＣＴデータにおける取得条件の違いを考慮して整合させる整合ステップと、前記整合ステップによる層厚情報の整合結果をモニタに表示させる表示制御ステップと、を前記眼科情報処理装置に実行させる。
【図面の簡単な説明】
【０００８】
【図１】本実施形態に係る眼科情報処理装置の装置構成を示すについて説明するブロック図である。
【図２】ＯＣＴデータの一例である三次元画像データを示した図である
【図３】眼科情報処理装置における制御部の動作の一例を示したフローチャートである。
【図４】ＳＤ−ＯＣＴと、ＳＳ−ＯＣＴとにおける深度と、OCT信号感度強度との関係を示すグラフである。なお、『眼底用光干渉断層計の進歩、Medical Photonics No. 7”、株式会社オプトロニクス社、２０１１年１１月発行』から引用した図である。
【図５】制御部によって整合された複数の層厚情報の表示出力の一例である。
【発明を実施するための形態】
【０００９】
本開示に係る典型的な実施形態を、図面に基づいて説明する。図１は、本実施例の眼科情報処理装置１の概略構成を示すブロック図である。以下の実施形態において、眼科情報処理装置１は、長期にわたって異なる日時で得られた複数のＯＣＴデータ（換言すれば、時系列のＯＣＴデータ）に基づいて被検眼の経過観察を行うために利用される。以下の説明において、眼科情報処理装置１は、「本装置１」と省略する。
【００１０】
図１の例に示す本装置１は、主に、制御部７０、およびメモリ（記憶部）７２を有する。また、本装置１は、操作部（入力インターフェイス）９０、および、モニタ７５を有していてもよい。
【００１１】
制御部７０は、各部の制御処理と演算処理とを行う電子回路を有する処理装置（プロセッサ）である。制御部７０は、ＣＰＵ（Ｃｅｎｔｒａｌ  Ｐｒｏｃｅｓｓｉｎｇ  Ｕｎｉｔ）およびメモリ等で実現される。制御部７０は、例えば、表示制御部、画像処理部として用いられる。
【００１２】
また、本装置１は、図１に示すように、第１の撮影装置２００および第２の撮影装置３００とそれぞれ接続されていてもよい。各装置は、ネットワーク（バス、ＬＡＮ等）を介して接続されており、相互に画像データ等を送受信することが可能である。なお、本装置１は、撮影装置２００および撮影装置３００と同時に接続される必要はない。長期的な経過観察において、本装置１と接続される撮影装置が、ある撮影装置から別の撮影装置に変更されてもよい。
【００１３】
撮影装置２００，３００は、それぞれ断層像撮影光学系（例えば、光断層干渉計（OCT
：optical coherence tomography））を有するＯＣＴデバイスである。撮影装置２００，３００は、光源から出射された光束を測定光と参照光とに分割し、測定光を被検眼の眼底に導く。また、参照光と、眼底からの測定光の戻り光と、の干渉信号を検出器によって取得する。その結果、検出器で得られた干渉信号に基づいて、ＯＣＴデータが取得（生成）される。なお、干渉信号に基づいてＯＣＴデータを生成する画像処理部は、例えば、本実施形態では、本装置１とは別体として撮影装置２００，３００に設けられているものとする。但し、必ずしもこれに限られるものではなく、本装置１が、撮影装置２００，３００のプロセッサ（例えば、画像処理部）を兼用してもよい。なお、撮影装置２００，３００によって取得されるＯＣＴデータは、例えば、一次元ないしは三次元のＯＣＴデータのうち、いずれであってもよい。
【００１４】
ここで、一次元ＯＣＴデータは、眼底上の１点での深さ方向の反射強度分布（つまり、Ａスキャン（深さプロファイル））であってもよいし、その一点での一次元機能ＯＣＴデータ（機能ＯＣＴデータの例としては、モーションコントラストデータ等）であってもよい。二次元ＯＣＴデータは、測定光を眼底上で一次元的に走査することによって得られるデータである。二次元ＯＣＴデータは、ある断層面における二次元的な反射強度分布（例えば、断層画像）であってもよいし、その断層面における機能ＯＣＴデータであってもよい。三次元ＯＣＴデータは、例えば、測定光を眼底上で二次元的に走査することによって得られるデータである。三次元ＯＣＴデータは、眼底の構造を示す三次元画像（図２参照）であってもよいし、三次元機能ＯＣＴデータであってもよい。
【００１５】
撮影装置２００と、撮影装置３００とは、装置の仕様（主には、光学系の仕様）が互いに異なるＯＣＴデバイスであってもよい。例えば、撮影装置２００と撮影装置３００とは、撮影方式が互いに異なっていてもよい。一例として、以下の説明において、撮影装置２００は、ＳＤ−ＯＣＴ（Spectral domain OCT）であり、撮影装置３００は、ＳＳ−ＯＣ
Ｔ（Swept source OCT）であるものとする。この場合、撮影装置２００は、光源として、低コヒーレント長の光束を出射する光源を持ち、検出器として、参照光と被検眼からの測定光の戻り光との干渉信号を波長成分毎に検出する分光検出器を持つ。撮影装置２００は、分光検出器で得られた各波長での干渉信号に基づいて被検眼のＯＣＴデータを得る。一方、撮影装置３００は、光源として、出射波長を時間的に掃引させる波長掃引光源を持ち、検出器として、点検出器を持つ。点検出器は、１つの検出器であってもよいし、複数（例えば、２つ）の検出器を用いて平衡検出を行う平衡検出器であってもよい。撮影装置３００は、波長掃引光源による出射波長の変化に応じて参照光と測定光の戻り光の干渉信号をサンプリングし、サンプリングによって得られた各波長での干渉信号に基づいて被検眼のＯＣＴデータを得る。但し、各装置の撮影方式は、必ずしもこれに限定されるものではない。
【００１６】
撮影装置２００，３００で取得されたＯＣＴデータは、ネットワークを介して本装置１に転送される。本装置１は、例えば、各撮影装置２００，３００によって取得されたＯＣＴデータをネットワークを介して取得し、各ＯＣＴデータ（例えば、三次元断層画像データ（図２参照）、正面画像データ等）をメモリ７２に記憶し、管理する。また、本装置１は、取得されたＯＣＴデータを解析し、解析結果を出力（例えば、モニタ７５へ表示）する。
【００１７】
例えば、制御部７０は、撮影装置２００，３００によって取得された被検眼のＯＣＴデータ（ここでは、三次元ＯＣＴデータ）を処理して、眼底の層厚情報を取得する。ここで、層厚情報は、眼底を構成する層の厚みに関する情報である。例えば、層厚情報としては、眼底全体の厚みに関する情報，網膜、脈絡膜、および強膜等の部位ごとの厚みに関する情報、更には、それら各部位を構成する層の厚みに関する情報等が例示される。なお、層厚を求める場合、例えば、ＯＣＴデータに対する画像処理（例えば、セグメンテーション処理）によってＯＣＴデータが層毎に分割処理され、層境界の間隔に基づいて各層の厚みが計測される。
【００１８】
以下、具体例として、網膜の厚みに関する情報である網膜厚情報が、制御部７０によって少なくとも取得される場合を説明する。網膜厚として、例えば、網膜の各層の厚み（具体的には、視神経線維層（ＮＦＬ）の厚み、内境界膜（ＩＬＭ）から網膜色素上皮層（ＲＰＥ）までの厚み等）が取得されてもよい。制御部７０は、眼底上のスキャン位置が異なる画像から得られる眼底上の各位置における網膜厚を用いて二次元的な網膜厚情報（例えば、層厚マップ）を生成する。
【００１９】
本実施形態では、層厚マップを用いて二次元的な網膜厚情報が経過観察される。本装置１によって取得（又は、生成）される層厚マップは、制御部７０によってメモリ７２に記憶される。また、制御部７０は、層厚情報に基づく解析チャートを生成し、解析チャートをメモリ７２に記憶してもよい。
【００２０】
なお、取得された断層画像を処理することにより、脈絡膜の厚みが測定されてもよい。もちろん、二次元的な脈絡膜厚情報（厚みマップ）が経過観察されてもよい。
【００２１】
以下の説明において、便宜上、制御部７０は、撮影装置２００，３００からＯＣＴデータを取得する都度、取得したＯＣＴデータに基づく層厚情報を取得し、メモリ７２に記憶するものとする。なお、ＯＣＴデータから層厚情報を生成するタイミングは、必ずしもこれに限定されるものではない。例えば、各ＯＣＴデータを比較するタイミングで、各ＯＣＴデータから層厚情報を生成してもよい。
【００２２】
ここで、ＯＣＴデバイスにおけるＯＣＴデータの取得条件が変わることで、ＯＣＴデバイスにおいて取得されるＯＣＴデータの階調，コントラスト，および，Ｓ／Ｎ比等が変化し得る。その結果、取得条件の違いが、ＯＣＴデータの処理結果として取得される層厚情報に対しても影響することが考えられる。ここでいう取得条件には、例えば、各ＯＣＴデータを取得したＯＣＴデバイスにおける装置の仕様に関する条件が少なくとも含まれる。具体例として、ＯＣＴデータの取得方式（撮影方式）、測定光源から出射される測定光の波長帯、検出器の受光特性、ＯＣＴデータの解像度等の条件が例示される。
【００２３】
前述したように、経過観察のために長期にわたって複数回のＯＣＴデータの取得が行われる場合、各ＯＣＴデータにおいて、取得条件が異なる場合がありうる。この場合、それぞれのＯＣＴデータから得られる各層厚情報の整合がとれず、それ故、各層厚情報の比較等が難しくなることが考えられる。
【００２４】
これに対し、本実施形態では、制御部７０は、各々のＯＣＴデータに基づく層厚情報を、各々のＯＣＴデータにおける取得条件の違いを考慮して整合させ、整合結果を出力する（整合処理）。この整合処理において、制御部７０は、各層厚情報を、少なくとも深さ方向に関して整合させる。同時に、横断方向（深さ方向と交差する方向）に関して各ＯＣＴデータが整合されてもよい。整合処理の結果として、層厚情報に基づく経過観察を、検者が良好に行うことができるようになる。なお、整合処理の詳細については、後述する。
【００２５】
メモリ７２は、書き換え可能な不揮発性の記憶媒体である。メモリ７２としては、例えば、ハードディスク、フラッシュメモリ、外部サーバー、およびＵＳＢメモリ等のいずれかが用いられてもよい。
【００２６】
メモリ７２には、例えば、本装置１を動作させるための各種プログラムが格納される。例えば、メモリ７２に記憶される解析プログラム（本実施形態における眼科情報処理プログラム）が制御部７０で処理（実行）されることによって、図３のフローチャートに示す本装置１の動作が実行される。
【００２７】
メモリ７２は、例えば、撮影装置２００，３００を介して取得されるＯＣＴデータ、および、ＯＣＴデータを処理することで得られる層厚情報等を記憶する。なお、以下の説明において、撮影装置２００で得られるＯＣＴデータに基づく層厚情報を、「第１層厚情報」と称し、撮影装置３００で得られるＯＣＴデータに基づく層厚情報を、「第２層厚情報」と称する。
【００２８】
更に、ＯＣＴデータにおける取得条件を特定する情報（以下、「取得条件データ」という）が、ＯＣＴデータ，および，層厚情報のそれぞれと対応づけて記憶されていてもよい。本実施形態において、取得条件データは、ＯＣＴデータの取得に使用したＯＣＴデバイスの仕様を、少なくとも特定する。なお、装置の仕様を特定するためのデータは、例えば、ＯＣＴデバイスの機種名、機種のバージョン情報、ＯＣＴデバイスの撮影方式、測定光源から出射される測定光の波長帯、および、検出器の受光特性等の少なくともいずれかであってもよい。
【００２９】
このような取得条件データは、各撮影装置２００，３００の記憶部に予め記憶されたデータであって、ＯＣＴデータと一緒に、各撮影装置２００，３００から本装置１に転送されるデータであってもよい。この場合、本装置１の制御部７０は、一緒に受信されるＯＣＴデータと取得条件データとを、互いに対応付けてメモリ７２に記憶してもよい。
【００３０】
但し、取得条件データは、必ずしも本装置１が各撮影装置２００，３００から受信することで本装置１が取得するデータである必要はない。例えば、取得条件データは、検者が入力インターフェイス９０を介して手動で入力（又は、選択）される情報であってもよい。より具体的には、メモリ７２にＯＣＴデータが格納された後で、そのＯＣＴデータの取得条件と対応する情報を、検者が入力インターフェイス９０を介して入力（又は、選択）し、その入力（又は、選択）結果として、ＯＣＴデータと対応する取得条件データが取得（例えば、メモリ７２に記憶）されてもよい。また、ＯＣＴデータ、層厚情報、および取得条件データは、例えば、経過観察のため、時間軸に関連付けて記憶される。時間を関数とする層厚情報は、層厚の経時的変化を示す。
【００３１】
更に、メモリ７２は、正常眼における層厚情報を記憶する正常眼データベースを格納していてもよい。
【００３２】
入力インターフェイス９０は、検者からの操作が入力される。入力インターフェイス９０としては、例えば、マウス、トラックボール、タッチパネルなどのデバイスが用いられてもよい。
【００３３】
モニタ７５は、ＯＣＴデータを視覚化したグラフィック（例えば、断層画像等）、層厚情報、および、複数の層厚情報の整合結果等が表示される。モニタ７５は、タッチパネルであってもよい。この場合、モニタ７５が入力インターフェイス９０の一部として機能する。
【００３４】
＜動作の説明＞
次に、図３のフローチャートを参照して、本装置１の動作をより具体的に説明する。
【００３５】
便宜上、以下の説明では、長期にわたって取得された複数のＯＣＴデータが予めメモリ７２に記憶されており、それらのＯＣＴデータは、次のようにして取得されていることを前提として、本装置１の動作を説明する。ここでは、まず、撮影装置２００（ＳＤ−ＯＣＴ）によって被検眼のＯＣＴデータが異なる日時に複数回取得され、その後、撮影装置３００（ＳＳ−ＯＣＴ）によって被検眼のＯＣＴデータが異なる日時に複数回取得されている。また、各撮影装置２００，３００がＯＣＴデータを取得する都度、そのＯＣＴデータがネットワークを介して本装置１によって取得され、これにより、異なる日時に取得された複数のＯＣＴデータがメモリ７２に記憶されている。換言すれば、メモリ７２には、被検眼における時系列のＯＣＴデータが記憶されている。
【００３６】
また、便宜上、以下の説明では、各ＯＣＴデータに基づく層厚情報（ここでは、層厚マップ）と、各ＯＣＴデータについての取得条件を示す取得条件データと、が、各ＯＣＴデータにそれぞれ対応づけられて、メモリ７２に記憶されているものとする。
【００３７】
例えば、経過観察のための表示（例えば、グラフィック）を出力する場合、制御部７０は、メモリ７２に記憶されている複数の層厚情報の中から、経過観察に使用する層厚情報を２つ以上選択し、選択した層厚情報を整合させる。制御部７０は、例えば、入力インターフェイス９０を介して検者によって指定された層厚情報を、経過観察に用いる時系列の層厚情報として選択する。選択される層厚情報の中から更に、経過観察において比較の基準となるデータが選択されてもよい。
【００３８】
この動作例では、経過観察に用いる時系列の層厚情報として、撮影装置２００（ＳＤ−ＯＣＴ）で得られたＯＣＴデータに基づく第１層厚情報と、撮影装置３００（ＳＳ−ＯＣＴ）で得られたＯＣＴデータに基づく第２層厚情報と、がそれぞれ１つ以上選択される。
【００３９】
ここで、眼科分野において、ＳＤ−ＯＣＴの光源としては、８００ｎｍ〜９００ｎｍを中心波長とする光源が、ＯＣＴデータの測定光の光源として利用される傾向にある。一方、ＳＳ−ＯＣＴの光源としては、いわゆる１μｍ帯で波長掃引を行う（約１０５０ｎｍを中心に、波長掃引を行う）光源が利用される傾向にある。このような測定光の波長域の差によって、ＳＳ−ＯＣＴの方が、ＳＤ−ＯＣＴと比べて測定光の深達性が高く、深部（例えば、網膜外層側）での感度が高い傾向にある（図４参照）。一方、浅部（例えば、網膜内層側）での感度については、深部に比して有意な違いは、現状見られない。このため、ＳＤ−ＯＣＴ（撮影装置２００）によるＯＣＴデータに基づく第１層厚情報は、ＳＳ−ＯＣＴ（撮影装置３００）によるＯＣＴデータに基づく第２層厚情報と比べて、少なくとも深部側の層厚の値が小さくなりやすい場合がある。
【００４０】
また、撮影装置２００によって取得されるＯＣＴデータと、撮影装置３００によって取得されるＯＣＴデータとは、ＯＣＴデバイスの仕様の違いに応じて、解像度が異なっていることが考えられる。例えば、撮影装置２００（ＳＤ−ＯＣＴ）と撮影装置３００（ＳＳ−ＯＣＴ）との測定光のバンド幅（測定光として利用される波長帯の幅）の違い等によって、このような違いが生じ得る。このような解像度の違いも、第１層厚情報と第２層厚情報とに異なる影響を与えると考えられる。
【００４１】
このように、本実施形態では、ＯＣＴデータを取得した撮影装置２００および撮影装置３００の仕様が互いに異なることによって、第１層厚情報と第２層厚情報との比較が難しい場合が考えられる。撮影装置２００および撮影装置３００の仕様は、第１層厚情報に対応する取得条件データ、および、第２層厚情報に対応する取得条件データによってそれぞれ特定され得る。そこで、本装置１では、撮影装置２００と撮影装置３００との仕様の違いに応じた層厚情報の補正データを、第１層厚情報に対応する取得条件データと、第２層厚情報に対応する取得条件データと、に基づいて取得する。そして、補正データに基づいて、第１層厚情報および第２層厚情報の少なくとも一方を補正することにより、第１層厚情報と第２層厚情報とを、少なくとも深さ方向に関して整合させる（整合処理）。
【００４２】
ここでいう整合とは、例えば、第１層厚情報および第２層厚情報のうち少なくとも一方における層厚の値を補正することであってもよい。この場合、例えば、第１層厚情報と第２層厚情報とのうち、一方の取得条件を基準として、他方の層厚情報を補正してもよい。また、第１層厚情報における取得条件、および、第２層厚情報における取得条件の両方と異なる所定の取得条件を基準として、第１層厚情報および第２層厚情報の両方を補正してもよい。また、第１層厚情報と第２層厚情報とのうち、他方の層厚情報にあわせて補正される側の層厚情報が、選択可能であってもよい。この場合、例えば、操作部からの操作に応じて、制御部７０は、補正される側の層厚情報として、第１層厚情報と第２層厚情報とのうち一方を選択し、選択された一方を、他方の取得条件に対して整合させる。
【００４３】
ここで、補正データは、例えば、層厚の補正量を示すデータである。本実施形態において、第１層厚情報と第２層厚情報とを整合させるための補正データは、予めメモリ７２に記憶されている。補正データにおける補正量は、例えば、次のようにして予め定められていてもよい。
【００４４】
例えば、層間距離が既知である層状の被検物に対するＯＣＴデータを撮影装置２００と撮影装置３００とのそれぞれで取得し、それぞれのＯＣＴデータから得られる層厚情報を比較することによって、第１層厚情報と第２層厚情報とにおける層毎（或いは、深度毎）の層厚の比（又は差）であって、被検眼の経時変化に拘わらない比（又は差）を、予め算出してもよい。補正データには、このようにして予め求められた層厚の比（又は差）に基づく補正量が規定されていてもよい。なお、ここでいう、深度は、ＯＣＴデータ上の深度である。ＯＣＴデータ上の深度は、測定光および参照光の間の光路長差に依存する。
【００４５】
なお、メモリ７２には、撮影装置２００と撮影装置３００との組み合わせ以外にも、撮影装置の組合せごとに、異なる補正データがメモリ７２に予め記憶されていてもよい。補正データは、例えば、例えば、それぞれの層（或いは、深度）に対する補正量を示すルックアップテーブルであってもよいし、層（或いは、深度）を変数とする補正式を示すデータであってもよい。
【００４６】
前述したように、ＳＤ−ＯＣＴ（撮影装置２００）によるＯＣＴデータに基づく第１層厚情報は、ＳＳ−ＯＣＴ（撮影装置３００）によるＯＣＴデータに基づく第２層厚情報と比べて、より深部側の層ほど、層厚が小さくなりやすい場合がある。そこで、例えば、制御部７０は、整合処理において、各層厚情報のうち、少なくとも網膜内層に相当する部分と、網膜外層に相当する部分（およびそれ以深の部分）と、に対して異なる補正量で補正を行ってもよい。その一例として、層厚情報における網膜内層に相当する部分は補正せずに、網膜外層に相当する部分（およびそれ以深の部分）のみを補正する（例えば、第１層厚情報における深部側の層厚の値を増大させる、第２層厚情報における深部側の層厚の値を減少させる、或いは、その両方を行う）ようにしてもよい。また、一例として、網膜内層に相当する部分への補正に対し、網膜外層（およびそれ以深の部分）をより大きな補正量で補正してもよい。
【００４７】
このように、網膜内層に相当する部分と、網膜外層に相当する部分（およびそれ以深の部分）と、に対して異なる補正量で補正が行われる場合、両部分の境界位置は、予め定められていてもよい。例えば、図４のグラフでは、ある条件において、ＳＤ−ＯＣＴと、ＳＳ−ＯＣＴとにおけるＯＣＴ信号感度強度は、略１ｍｍ（網膜表面からの深度）以深の範囲で、傾きが大きく異なっている。そこで、例えば、略１ｍｍの深度を、網膜内層に相当する部分と、網膜外層に相当する部分（およびそれ以深の部分）として補正が行われてもよい。なお、境界位置は、例えば、各装置における測定光の波長域の組合せに応じて異なる。このため、境界の深度は、略１ｍｍに限られるものではなく、各層厚情報を得るために利用された波長域の組合せに応じて適宜定められてもよい。なお、網膜内層に相当する部分と、網膜外層に相当する部分（およびそれ以深の部分）との境界の深度は、必ずしも予め定められている必要はなく、制御部７０によるセグメンテーション処理の結果に応じて設定されてもよい。例えば、セグメンテーション処理によって特定される所定の層境界が、内層と外層との境界として利用されてもよい。
【００４８】
ここで、整合処理は、例えば、比較の基準となる層厚情報に、その他の層厚情報を整合させるように、その他の層厚情報を補正する処理であってもよい。また、任意の層厚情報（例えば、検者の指示に基づいて制御部７０が選択した層厚情報）に、その他の層厚情報を整合させるように、その他の層厚情報を補正する処理であってもよい。また、それぞれの層厚情報を、ある一定の取得条件下での層厚情報となるように補正する処理であってもよい。
【００４９】
整合処理後の第１層厚情報と第２層厚情報とは、同じ取得条件で得られたデータと看做すことができる。このため、本実施形態では、両者を比較することで、被検眼の網膜における層厚の時間的な変化を良好に把握できるようになる。つまり、本実施形態では、長期にわたってＯＣＴデータを取得する場合において、途中で装置の仕様が変更されている場合であっても、層厚情報の経過観察を良好に行うことができる。
【００５０】
整合処理の後、制御部７０は、整合結果をモニタ７５に表示させる。その際、制御部７０は、整合処理後の第１層厚情報と第２層厚情報とのそれぞれに基づいて、層厚の継時的な変化を示すグラフィックを、整合結果として生成し、モニタ７５に表示させる。このようなグラフィックは、例えば、マップ画像であってもよいし、二次元解析チャートであってもよいし、トレンドグラフであってもよいし、これら以外のグラフィックであってもよい。なお、これらのグラフィックの代わりに、又は、これらのグラフィックと共に、層厚の継時的な変化を示す数値情報を、整合結果としてモニタ７５へ表示させてもよい。
【００５１】
図５の表示例では、経過観察で使用される層厚情報毎に、マップ画像、および二次元解析チャートが、それぞれ１つずつ生成されている。そして、それぞれのマップ画像および二次元解析チャートが、同一画面上に並べられて表示されている。本実施形態では、整合処理によって補正された層厚情報に基づくグラフィックに対し、補正が行われたデータであることを示す識別表示が行われる。図５の例では、インデックス１２０が付されることで、識別表示が行われている。
【００５２】
マップ画像は、例えば、被検眼眼底上の解析結果の分布を二次元的に表現するカラーマップであってもよい（例えば、図５のマップ画像１００ａ参照）。マップ画像１００ａは、被検眼眼底における層厚の二次元的な分布を示すカラーマップであり、層厚に応じて色分けされてもよい。
【００５３】
マップ画像１００ａとしては、例えば、厚みマップ、比較マップ、デビエーションマップ、差分マップの少なくとものいずれかが用いられてもよい。厚みマップは、網膜層の厚み量を示すマップであってもよい。比較マップは、被検眼の網膜層の厚みと正常眼データベースに記憶された正常眼の網膜層の厚みとの比較結果を示すマップであってもよい。デビエーションマップは、被検眼の網膜層の厚みと正常眼データベースに記憶された正常眼の網膜層の厚みとのずれ量を、標準偏差にて示すマップであってもよい。差分マップは、各検査時期（例えば、検査日）との厚みの差分を示す検査時期比較厚みマップであってもよい。
【００５４】
また、解析チャート画像１００ｂ、１００ｃは、眼底を分割したセクション（領域）における層厚を示す。解析チャートは、例えば、眼底における層厚の二次元的な分布を領域毎に分割し、領域毎の解析値を得ることによって作成される。
【００５５】
解析チャートは、眼底上での撮影範囲を考慮して設定されてもよい。例えば、眼底上の撮影範囲において撮影中心から基準距離（例えば、９ｍｍ）に対応する領域において、複数のセクションが設定されてもよい。例えば、中心から第１距離（例えば、中心から１ｍｍ範囲内）に対応するセクション、第１距離から第２距離（例えば、中心に対し、１ｍｍ〜４ｍｍの領域）に対応するセクション、第２距離から第３距離に対応するセクション（例えば、中心に対し、４ｍｍ〜９ｍｍの領域）とに分割される。
【００５６】
解析チャートは、例えば、予め設定されたセクション毎に解析値を示す。解析値として、例えば、予め設定されたセクション毎に解析結果の基本統計量が求められる。基本統計量しては、代表値（平均値、中央値、最頻値、最大値、最小値、など）、散布度（分散、標準偏差、変動係数など）などであってもよい。セクション内での各位置での解析結果がセクション毎の解析結果に含まれることで、安定した解析値が得られる。
【００５７】
より詳細には、解析チャートは、層厚マップと共に表示される。網膜厚マップ１００ａが黄斑マップの場合、ＧＣＨＡＲＴ、Ｓ／Ｉチャート、ＥＴＤＲＳチャート等が選択的に表示される。なお、層厚が乳頭マップの場合は、解析チャートとして、ＧＣＨＡＲＴ、Ｓ／Ｉチャート、ＥＴＤＲＳチャートの他にも、全体チャート、上下チャート（２分割）、ＴＳＮＩＴチャート（４分割）、ＣｌｏｃｋＨｏｕｒチャート（１２分割）等が選択的に表示される。
【００５８】
また、解析チャートには、所定領域での層厚を数値にて表示する数値表示領域が付されてもよい。数値表示領域には、例えば、全体の平均網膜厚、中心窩での網膜厚、中心窩を中心とする所定エリア内での平均網膜厚（例えば、１、２、３ｍｍ）等が表示される。また、解析チャートには、層厚マップと正常眼データベースとの対比結果が示されてもよい。
【００５９】
以上、実施形態に基づいて説明を行ったが、本開示は、上記実施形態に限定されることなく、様々な変形が可能である。
【００６０】
例えば、上記実施形態では、第少なくとも網膜内層に相当する部分と、網膜外層に相当する部分（およびそれ以深の部分）と、に対して異なる補正量で層厚を補正することによって、１層厚情報と第２層厚情報との間での層厚情報が整合された。但し、整合処理では、網膜の層構造（或いは深度）を更に細分化し、細分化された層毎に（或いは、深度毎に）、異なる補正量を用いて層厚を補正してもよい。
また、上記実施形態では、層間距離が既知である層状の被検物（試料）を測定することで、補正データ（主に、層厚情報の補正量）を得る場合について説明したが、必ずしもこれに限られるものではない。例えば、被検物（試料）は、既知の厚みを持っていれば、必ずしも層状である必要はない。この場合、ＯＣＴデータ上の各深度において試料を配置し、ＳＤ−ＯＣＴと、ＳＳ−ＯＣＴと、のそれぞれで、試料の層厚を測定する。結果、ＳＤ−ＯＣＴと、ＳＳ−ＯＣＴと、のそれぞれにおいて、試料の厚みの測定値が、試料が配置される深度毎に得られる。
ある深度における補正量は、ＳＤ−ＯＣＴと、ＳＳ−ＯＣＴと、の間における、その深度に配置された試料の厚みの測定値の比、または、差、に基づいて、得ることができる。層厚情報の補正データは、このようにして得られる、層毎、または、深度毎の補正量によって形成されていてもよい。
また、上記実施形態では、撮影装置２００で得られるＯＣＴデータと、撮影装置３００とで得られるＯＣＴデータとの間の仕様の違い（取得条件の違いの一例）として、撮影画角、および１ピクセル当たりの寸法、の少なくともいずれかにおける違いが存在してもよい。この場合において、制御部７０は、撮影画角、および１ピクセル当たりの寸法、の少なくともいずれかの違いを考慮して、第１層厚情報と第２層厚情報を整合させてもよい。この場合、例えば、第１層厚情報および第２層厚情報のそれぞれに対応付けられた取得条件データに基づいて、予めメモリ７２に記憶される縮尺の補正データ（例えば、第１層厚情報と第２層厚情報とにおける縮尺を補正するためのデータ）が制御部７０によって取得されるようにしてもよい。そして、そして、制御部７０が、整合処理の際に、該補正データに基づいて第１層厚情報と第２層厚情報とにおける少なくとも一方の縮尺を補正してもよい。
【００６１】
また、上記実施形態では、メモリ７２に予め記憶されている補正データを用いて、第１層厚情報と第２層厚情報とを整合させる場合を説明した。しかし、整合処理で使用される補正データは、必ずしもメモリ７２に予め記憶されている必要はない。例えば、各層に対する層厚の補正量を、取得条件の関数として与える補正式が、メモリ７２等に予め記憶されており、整合処理の都度、整合される各層厚情報の取得条件データに応じて、制御部７０が、補正量を補正式から算出してもよい。そして、算出された補正量に基づいて、各層厚情報が整合されてもよい。
【００６２】
また、上記実施形態の制御部７０によって実行される整合処理は、例えば、正常眼データベースに記憶されている正常眼の層厚情報（以下、正常眼層厚情報と称す）との整合が得られるようにそれぞれの層厚情報（第１層厚情報と第２層厚情報との少なくともいずれか）を深さ方向に関して補正してもよい。正常眼データベースに記憶される正常眼層厚情報は、ある取得条件で（例えば、ある仕様のＯＣＴデータによって）複数の眼のＯＣＴデータを取得し、それぞれのＯＣＴデータから各々得られる複数の層厚情報に対して所定の統計処理を行った結果である場合がある。よって、例えば、正常眼データベースにおける正常眼についての層厚情報（正常眼層厚情報と称す）が第１の取得条件で取得されたＯＣＴデータに基づいて生成されたデータであるのに対し、正常眼層厚情報と比較される被検眼の層厚情報が、第２の取得条件（第１の取得条件とは異なる）で取得されたＯＣＴデータに基づいて生成されたデータである場合がありうる。具体例としては、正常眼データベースに、ＳＤ−ＯＣＴによって取得された正常眼のＯＣＴデータに基づく正常眼層厚情報が記憶されており、ＳＳ−ＯＣＴによって取得される被検眼のＯＣＴデータに基づく層厚情報が、正常眼層厚情報と比較される場合等が考えられる。
【００６３】
これに対し、正常眼層厚情報との整合が得られるように本装置１によって取得される被検眼の層厚情報（第１層厚情報と第２層厚情報との少なくともいずれか）が補正されることで、被検眼の層厚情報と正常眼層厚情報との比較を良好に行うことが可能となる。また、制御部７０が、整合処理の結果（整合後の第１層厚情報および第２層厚情報）と、正常眼層厚情報との比較処理を行い、比較結果を出力するようにしてもよい。例えば、上記実施形態に示した比較マップおよびデビエーションマップとして比較結果が出力されてもよい。結果、経過観察において、被検眼の層厚情報を、正常眼における層厚情報と精度よく比較できる。
【００６４】
なお、第１の取得条件による正常眼層厚情報と、第２の取得条件による被検眼の層厚情報とを整合させる場合には、正常眼層厚情報と被検眼の層厚情報とうちの少なくとも一方が深さ方向に関して補正されることによって整合結果が得られれば良く、上記変容例のように、被検眼の層厚情報のみが補正される場合に限定されるものではない。
【００６５】
この場合、正常眼データベースと共に、正常眼データベースの基となったＯＣＴデータの取得条件データが、予めメモリ７２に記憶されていてもよい。そして、被検眼の層厚情報および正常眼データベースの層厚情報のうち少なくとも一方を、正常眼データベースの層厚情報についての取得条件データと被検眼の層厚情報についての取得条件データとに基づいて補正することによって、互いの層厚情報を整合させてもよい。
【００６６】
また、上記実施形態では、具体例として、撮影方式が互いに異なる複数種類のＯＣＴデバイス（より詳細には、ＳＤ−ＯＣＴと、ＳＳ−ＯＣＴ）で得られた層厚情報を、互いに整合させる場合について説明した。しかし、撮影方式が同種のＯＣＴデバイスであって，装置の光学系の仕様が異なるデバイスで得られる層厚情報の整合に、本開示の技術は適用されてもよい。例えば、互いの光学系の仕様が異なる複数のＳＤ−ＯＣＴで得られる層厚情報の整合が、本開示の技術によって行われてもよい。ＳＤ−ＯＣＴ同士の場合において、「光学系の仕様が互いに異なる」典型例としては、２種類のＳＤ−ＯＣＴにおける測定光の波長域、および、スペクトロメータの少なくとも一方が互いに異なる場合が挙げられる。
【００６７】
また、上記実施形態では、複数のＯＣＴデータからそれぞれ得られる層厚情報を、各ＯＣＴデータを取得したＯＣＴデバイス間の仕様の違い（取得条件の違いの一例）を考慮して整合させる場合について説明した。しかし、層厚情報を整合するうえで考慮される取得条件の違いは、必ずしもＯＣＴデバイスの仕様の違いに限られるものではない。例えば、ＯＣＴデータのＳＳＩ（Ｓｉｇｎａｌ  Ｓｔｒｅｎｇｔｈ  Ｉｎｄｅｘ：信号強度）に影響を与えるパラメータに関する条件の違いであってもよい。なお、ＯＣＴデータのＳＳＩに影響を与えるパラメータとしては、例えば、被検眼に対して照射された測定光の光量、および、検出器におけるゲイン等が例示される。
【００６８】
また、層厚情報を整合するうえで、ＯＣＴデータの取得時におけるアライメント状態をそのＯＣＴデータの取得条件として利用されてもよい。を特定するためのデータは、例えば、ＯＣＴデータと共に撮影装置２００，３００で取得される前眼部または眼底の正面画像データ、および、アライメント指標の検出結果等が挙げられる。
【００６９】
また、上記実施形態において、層厚情報は、本装置１の制御部７０によって各ＯＣＴデータから生成する場合について説明したが、必ずしもこれに限られるものではない。例えば、各撮影装置２００，３００において、各々のＯＣＴデータに基づく層厚情報が生成されてもよい。それぞれの層厚情報がネットワークを介して本装置１へ転送されることにより、本装置１の制御部７０が、各ＯＣＴデータに基づく層厚情報（つまり、第１層厚情報および第２層厚情報）を取得する構成であってもよい。
【００７０】
なお、本開示においては、上記実施形態に記載した装置に限定されない。例えば、上記実施形態の機能を行う眼科画像処理ソフトウェア（プログラム）をネットワークや各種記憶媒体を介して、システムあるいは装置に供給する。そして、システムあるいは装置のコンピュータ（例えば、ＣＰＵ等）がプログラムを読み出し、実行することも可能である。
【符号の説明】
【００７１】
１        眼科情報処理装置
７０      制御部
７２      メモリ
７５      モニタ
２００，３００    撮影装置
【図１】
2017104535.tif 000003
【図２】
2017104535.tif 000004
【図３】
2017104535.tif 000005
【図４】
2017104535.tif 000006
【図５】
2017104535.tif 000007